【手続補正書】
【提出日】平成25年10月1日(2013.10.1)
【手続補正１】
【補正対象書類名】特許請求の範囲
【補正対象項目名】全文
【補正方法】変更
【補正の内容】
【特許請求の範囲】
【請求項１】
水素を液化する方法であって、
加圧された液化天然ガス（「ＬＮＧ」）との間接熱交換により水素フィードガスを予冷して、予冷された水素フィードガスと加熱された加圧ＬＮＧを生成する工程と；
該予冷された水素フィードガスの少なくとも一部を、少なくとも１つの冷媒との間接熱交換によりさらに冷却して、凝縮性水素フィードガスと少なくとも１つの温められた冷媒を生成する工程と；
該凝縮性水素フィードガスの少なくとも一部を膨張させて少なくとも部分的に凝縮した水素を生成する工程であって、前記凝縮性水素フィードガスの少なくとも一部を膨張させて、液体水素と水素蒸気の混合物を生成する工程と；
前記混合物の少なくとも一部を液体水素と水素蒸気に分離する工程と；
予冷された水素フィードガスを該水素蒸気の少なくとも一部との間接熱交換によりさらに冷却して、それにより水素のフラッシュガスを生成する工程と；
前記水素フラッシュガスの少なくとも一部を低温圧縮して、圧縮された水素フラッシュガスを生成する工程と；
該圧縮水素フラッシュガスの少なくとも一部を加圧ＬＮＧとの間接熱交換により冷却して、冷却された圧縮水素フラッシュガスと加熱された加圧ＬＮＧを生成する工程と；
予冷された水素フィードガスを前記当該又は少なくとも１つの冷媒との間接熱交換により冷却して、冷却された水素フィードガスを生成する工程と；
該冷却された水素フィードガスを第１部分と第２部分に分ける工程と；
該第１部分を膨張させて、膨張された水素ガスを生成する工程と；
予冷された水素フィードガスを該膨張された水素ガスの少なくとも一部との間接熱交換によりさらに冷却して、温められた膨張水素ガスを生成する工程と；
前記冷却された圧縮水素フラッシュガスと前記温められた膨張水素ガスを組み合わせて複合水素ガスを生成する工程と；
該複合水素ガスの少なくとも一部を低温圧縮して圧縮複合水素ガスを生成する工程と；
該圧縮複合水素ガスの少なくとも一部を加圧ＬＮＧとの間接熱交換により冷却して、冷却された圧縮複合水素ガスと加熱された加圧ＬＮＧを生成する工程と
を含む、水素を液化する方法。
【請求項２】
加圧ＬＮＧとの間接熱交換により前記水素フィードガスを予冷して、該水素フィードガスの温度を水素ガスに関するジュール−トムソンの逆転温度未満に低下させる、請求項１に記載の方法。
【請求項３】
外部ＬＮＧ貯蔵設備からのＬＮＧを加圧して加圧ＬＮＧを生成する工程と；
該加圧ＬＮＧを前記方法で用いられる加圧ＬＮＧの少なくとも一部として使用する工程と
をさらに含む、請求項１又は２に記載の方法。
【請求項４】
前記加熱された加圧ＬＮＧの少なくとも一部を周囲温度に加熱して、加熱された加圧天然ガスを形成する工程をさらに含む、請求項１〜３のいずれか１項に記載の方法。
【請求項５】
前記加熱された加圧天然ガスが、天然ガス供給用パイプラインにフィードされる、請求項４に記載の方法。
【請求項６】
当該又は少なくとも１つの温められた冷媒を低温圧縮して、少なくとも１つの圧縮冷媒を生成する工程と；
当該又は少なくとも１つの圧縮冷媒を加圧ＬＮＧとの間接熱交換により冷却して、少なくとも１つの冷却された圧縮冷媒を生成する工程と；
当該又は少なくとも１つの冷却された圧縮冷媒をプロセス内でリサイクルする工程と
をさらに含む、請求項１〜５のいずれか１項に記載の方法。
【請求項７】
当該又は少なくとも１つの冷媒が、水素分子、ヘリウム、ネオン、窒素分子、及びそれらの混合ガスから成る群より選択される、請求項１〜６のいずれか１項に記載の方法。
【請求項８】
当該又は少なくとも１つの冷媒が水素分子である、請求項１〜７のいずれか１項に記載の方法。
【請求項９】
当該又は各冷媒が水素分子である、請求項１〜８のいずれか１項に記載の方法。
【請求項１０】
当該又は少なくとも１つの水素ガスの冷媒が、前記水素フィードガスの一部を形成するためにリサイクルされる、請求項８又は９に記載の方法。
【請求項１１】
前記冷却された水素フィードガスの第２部分を前記当該又は少なくとも１つの冷媒との間接熱交換により冷却して、さらに冷却された水素フィードガスを生成する工程と；
該さらに冷却された水素フィードガスを第１部分と第２部分に分ける工程と；
該第１部分を膨張させて、膨張された水素ガスを生成する工程と；
予冷された水素フィードガスを該膨張された水素ガスの少なくとも一部との間接熱交換によりさらに冷却して、少なくとも１つの温められた冷媒としての温められた膨張水素ガスを生成する工程と
をさらに含む、請求項１に記載の方法。
【請求項１２】
前記膨張された水素ガスとの間接熱交換によって、前記予冷された水素フィードガスから凝縮性水素ガスを生成するのに必要とされる冷却操作の一部だけが提供される、請求項１〜１１のいずれか１項に記載の方法。
【請求項１３】
結果として生じる温められた膨張水素ガスの少なくとも一部を低温圧縮して圧縮水素ガスを生成する工程と；
該圧縮水素ガスの少なくとも一部を加圧ＬＮＧとの間接熱交換により冷却して、冷却された圧縮水素ガスと加熱された加圧ＬＮＧを生成する工程と
を含む、請求項１〜１２のいずれか１項に記載の方法。
【請求項１４】
前記予冷された水素フィードガスの温度が−１５８℃〜−１４０℃であり、前記水素フラッシュガスの温度が−１５８℃〜−１４０℃である、請求項１〜１３のいずれか１項に記載の方法。
【請求項１５】
前記加熱された加圧ＬＮＧの少なくとも一部を周囲温度への加熱後に産業界及び家庭に分配するための天然ガス供給用パイプラインに供給する工程を含む、請求項１〜１４のいずれか１項に記載の方法。
【請求項１６】
低温圧縮の際の冷却が加圧ＬＮＧとの間接熱交換によって提供される、請求項１〜１５のいずれか１項に記載の方法。
【請求項１７】
少なくとも１つの加圧ＬＮＧの中間冷却多段圧縮機を使用して前記低温圧縮が実施される、請求項１６に記載の方法。
【請求項１８】
水素を液化する方法であって、
加圧された液化天然ガス（「ＬＮＧ」）との間接熱交換により水素フィードガスを予冷して、予冷された水素フィードガスと加熱された加圧ＬＮＧを生成する工程と；
該予冷された水素フィードガスの少なくとも一部を、少なくとも１つの冷媒との間接熱交換によりさらに冷却して、凝縮性水素フィードガスと少なくとも１つの温められた冷媒を生成する工程と；
該凝縮性水素フィードガスの少なくとも一部を膨張させて少なくとも部分的に凝縮した水素を生成する工程と；
当該又は少なくとも１つの温められた冷媒を低温圧縮して、少なくとも１つの圧縮冷媒を生成する工程と；
当該又は少なくとも１つの圧縮冷媒を加圧ＬＮＧとの間接熱交換により冷却して、少なくとも１つの冷却された圧縮冷媒を生成する工程と；
当該又は少なくとも１つの冷却された圧縮冷媒をプロセス内でリサイクルする工程と
を含み、ＬＮＧが臨界圧力を有しそして前記加圧されたＬＮＧの圧力が該臨界圧力以上であり、
当該又は少なくとも１つの冷媒が水素分子であり、
当該又は少なくとも１つの水素ガスの冷媒が、前記水素フィードガスの一部を形成するためにリサイクルされる、水素を液化する方法。
【請求項１９】
加圧ＬＮＧとの間接熱交換により前記水素フィードガスを予冷して、該水素フィードガスの温度を水素ガスに関するジュール−トムソンの逆転温度未満に低下させる、請求項１８に記載の方法。
【請求項２０】
外部ＬＮＧ貯蔵設備からのＬＮＧを加圧して加圧ＬＮＧを生成する工程と；
該加圧ＬＮＧを前記方法で用いられる加圧ＬＮＧの少なくとも一部として使用する工程と
をさらに含む、請求項１８又は１９に記載の方法。
【請求項２１】
前記加熱された加圧ＬＮＧの少なくとも一部を周囲温度に加熱して、加熱された加圧天然ガスを形成する工程をさらに含む、請求項１８〜２０のいずれか１項に記載の方法。
【請求項２２】
前記加熱された加圧天然ガスが、天然ガス供給用パイプラインにフィードされる、請求項２１に記載の方法。
【請求項２３】
前記凝縮性水素フィードガスの少なくとも一部を膨張させて、液体水素と水素蒸気の混合物を生成する、請求項１８〜２２のいずれか１項に記載の方法であって、
前記混合物の少なくとも一部を液体水素と水素蒸気に分離する工程と；
予冷された水素フィードガスを該水素蒸気の少なくとも一部との間接熱交換によりさらに冷却して、それにより少なくとも１つの温められた冷媒としての水素のフラッシュガスを生成する工程と
をさらに含む、請求項１８〜２２のいずれか１項に記載の方法。
【請求項２４】
前記水素フラッシュガスの少なくとも一部を低温圧縮して、圧縮された水素フラッシュガスを生成する工程と；
該圧縮水素フラッシュガスの少なくとも一部を加圧ＬＮＧとの間接熱交換により冷却して、冷却された圧縮水素フラッシュガスと加熱された加圧ＬＮＧを生成する工程と
を含む、請求項２３に記載の方法。
【請求項２５】
予冷された水素フィードガスを前記当該又は少なくとも１つの冷媒との間接熱交換により冷却して、冷却された水素フィードガスを生成する工程と；
該冷却された水素フィードガスを第１部分と第２部分に分ける工程と；
該第１部分を膨張させて、膨張された水素ガスを生成する工程と；
予冷された水素フィードガスを該膨張された水素ガスの少なくとも一部との間接熱交換によりさらに冷却して、少なくとも１つの温められた冷媒としての温められた膨張水素ガスを生成する工程と
をさらに含む、請求項１８〜２２のいずれか１項に記載の方法。
【請求項２６】
前記冷却された水素フィードガスの第２部分を前記当該又は少なくとも１つの冷媒との間接熱交換により冷却して、さらに冷却された水素フィードガスを生成する工程と；
該さらに冷却された水素フィードガスを第１部分と第２部分に分ける工程と；
該第１部分を膨張させて、膨張された水素ガスを生成する工程と；
予冷された水素フィードガスを該膨張された水素ガスの少なくとも一部との間接熱交換によりさらに冷却して、少なくとも１つの温められた冷媒としての温められた膨張水素ガスを生成する工程と
をさらに含む、請求項２５に記載の方法。
【請求項２７】
前記膨張された水素ガスとの間接熱交換によって、前記予冷された水素フィードガスから凝縮性水素ガスを生成するのに必要とされる冷却操作の一部だけが提供される、請求項２５又は２６に記載の方法。
【請求項２８】
結果として生じる温められた膨張水素ガスの少なくとも一部を低温圧縮して圧縮水素ガスを生成する工程と；
該圧縮水素ガスの少なくとも一部を加圧ＬＮＧとの間接熱交換により冷却して、冷却された圧縮水素ガスと加熱された加圧ＬＮＧを生成する工程と
を含む、請求項２５〜２７のいずれか１項に記載の方法。
【請求項２９】
前記冷却された圧縮水素フラッシュガスと前記膨張水素ガスを組み合わせて複合水素ガスを生成する工程と；
該複合水素ガスの少なくとも一部を低温圧縮して圧縮複合水素ガスを生成する工程と；
該圧縮複合水素ガスの少なくとも一部を加圧ＬＮＧとの間接熱交換により冷却して、冷却された圧縮複合水素ガスと加熱された加圧ＬＮＧを生成する工程と
をさらに含む、請求項２４〜２７のいずれか１項に記載の方法。
【請求項３０】
前記予冷された水素フィードガスの温度が−１５８℃〜−１４０℃であり、前記水素フラッシュガスの温度が−１５８℃〜−１４０℃である、請求項２３〜２９のいずれか１項に記載の方法。
【請求項３１】
前記加熱された加圧ＬＮＧの少なくとも一部を周囲温度への加熱後に産業界及び家庭に分配するための天然ガス供給用パイプラインに供給する工程を含む、請求項１８〜３０のいずれか１項に記載の方法。
【請求項３２】
前記加圧されたＬＮＧの圧力が最大１０ＭＰａである、請求項１８〜３１のいずれか１項に記載の方法。
【請求項３３】
前記加圧されたＬＮＧの圧力が６ＭＰａ〜８ＭＰａである、請求項１８〜３２のいずれか１項に記載の方法。
【請求項３４】
低温圧縮の際の冷却が加圧ＬＮＧとの間接熱交換によって提供される、請求項２４又は２８に記載の方法。
【請求項３５】
少なくとも１つの加圧ＬＮＧの中間冷却多段圧縮機を使用して前記低温圧縮が実施される、請求項３４に記載の方法。